(57)【要約】      （修正有）【課題】周囲から認識されることなく、何処でも何時でも、それとなくこっそりと化粧崩れ等の顔のチェックを行うことを可能とするペン形スティックミラーを提供する。【解決手段】蓋部４でミラー表面が全体的に被覆された１本のスティック型のペン構造を有し、クリップ５も有する。スティック型の本体部１の中央部３は、ミラー表面全体が自己の側から見える様に埋設されたミラー６を有し、本体部の底部２は、その長手方向に沿って延在した非貫通の小物入れ用の溝部７を有する。中央部３及び蓋部４の各々は、底部２の他端側部２ＥＢＡを中心にして全体が個々に回動可能に底部に支持されている。蓋部を回動させると、ミラーの表面全体が自己側に露出し、目の周辺部の化粧状態等をチェックできる。中央部を回動させると溝部７が自己側に現れ、綿棒等の化粧直し道具等を溝部内より取り出し又は溝部内に収納することができる。【選択図】図３
0003190811.tif 000002
【実用新案登録請求の範囲】
【請求項１】
その長手方向に沿ってその一端側部から他端側部に向けて延在し且つミラー表面の全体が自己の側から見える様に埋設されたミラーを有する、スティック型の本体部と、
前記本体部の他端側部の内で前記ミラー表面が配設されていない部分を中心にして全体が回動可能に前記本体部に支持されて配設されており、非回動時には前記ミラー表面全体を含む前記本体部の表面全体を被覆する様に前記本体部に支持・配設された蓋部と、
前記蓋部の表面の他端側部から当該表面の中央側部に向けて前記蓋部の長手方向に沿って前記蓋部の前記表面の前記他端側部上に配設されたクリップと
を備えたことを特徴とする、ペン型スティックミラー。
【請求項２】
請求項１に記載のペン型スティックミラーであって、
前記本体部は、
底部と、
前記ミラーを有する中央部と
備えており、
前記底部は、その長手方向に沿って、その一端側部から他端側部に向けて延在した非貫通の小物入れ用の溝部を有しており、
前記中央部及び前記蓋部の各々は、前記底部の前記他端側部の内で前記溝部が配設されていない部分を中心にして全体が個々に回動可能に前記底部に支持されて配設されており、非回動時には前記溝部を含む前記底部の表面全体及び前記ミラー表面全体を含む前記中央部の表面全体を被覆する様に前記底部に支持・配設されている
ことを特徴とする、ペン型スティックミラー。
【請求項３】
請求項１又は２に記載のペン型スティックミラーであって、
前記底部は、前記底部の前記表面に対向する、平坦な裏面を備える
ことを特徴とする、ペン型スティックミラー。
【考案の詳細な説明】
【技術分野】
【０００１】
この考案は、パンダ目等の化粧崩れのチェック等用のミラーと化粧直し等の小物を収容するための小物入れを備えるペン型スティックミラーの技術に関する。
【背景技術】
【０００２】
目の周辺乃至は目元の化粧（アイメイク）として、アイライナー（化粧品）を用いて目元にアイラインを施したり、マスカラ（化粧品）を目の睫毛に塗布して睫毛を際立たせたり、アイシャドー（化粧品）を施して目の周辺を際立たせることが、行われる。
【０００３】
又、目の縁に、糊を用いて、付け睫毛を設けることも行われる。
【先行技術文献】
【特許文献】
【０００４】
【特許文献１】実用新案登録第３０６７６３３号公報
【考案の概要】
【考案が解決しようとする課題】
【０００５】
しかし、顔の汗、涙等の水分、或いは皮脂によって、それらの化粧品は滲むので、時間の経過と共にアイメイクの化粧崩れが生じる。この場合、滲んだ化粧品は、目の周りに、主に下まぶたに、付着してしまう。しかも、それらの化粧品の色は黒又は黒っぽい色であることが多い。そのため、滲んだ化粧品による化粧崩れによって、目の周りが黒い毛で囲まれているパンダと同じ様な状態が目の周辺に発生するので、所謂「パンダ目」が発生する。
【０００６】
この点につき、昨今では、化粧崩れが生じにくいアイメイク化粧品が開発されて販売はされているものの、化粧が汗等によって落ちにくい結果として「パンダ目」の発生を低減し得る化粧品は、クレンジングオイルを用いても落としにくいものであり、落とし残しが発生しやすい。或いは、その様なパンダ目が生じ難いアイメイク用化粧品を洗い落とす際に無理にクレンジングを行いすぎると、肌又は睫毛を傷める可能性もある。
【０００７】
そこで、「パンダ目」の発生を無理なく防止するためには、原始的ではあるが、こまめにミラーを使用してアイメイクの化粧が崩れていないかを視覚的にチェックし、化粧崩れを見つけた場合には、その都度、化粧直しを行うことが重要となる。
【０００８】
とは言え、アイメイクを施す者（主に女性）の心情としては、電車等の車中・ホテルのロビー等の公衆の場に於いて、又は、業務中に於いて、特に事務机に座って事務作業を行っている場合等に於いて、周囲の人目を気にせずに、人前で堂々とミラーを見て化粧崩れがないかをチェックし、化粧直しを行うことは、恥ずかしいと感じる面があり、そのために上記チェック等を躊躇せざるを得ない場合がある。しかし、その様な躊躇により化粧崩れのチェック及び化粧直しの作業をそれなりの頻度で行わない場合には、「パンダ目」の発生を低減又は防止することが出来ないことになる。しかし、「人前で「パンダ目」のチェックを行うことには人目が気になる」というのは、正直な人間の心理である。
【０００９】
この様な問題点は、アイメイクの「パンダ目」のチェックとその化粧直しのみならず、顔の各部のチェックをする場合、例えば、小鼻のテカリのチェック、鼻毛が延びていないかのチェック、歯が汚れていないかのチェック、コンタクトレンズの着用時に当該レンズがずれていないかのチェック、目の中にゴミ等が入っていないかのチェック等を行う場合でも、周囲に人がいれば、人目が気になるので、矢張り、同様に生じ得る問題点である。
【００１０】
この考案は上記の問題点を踏まえて着想された技術的思想であって、その主目的は、人前であろうが、人に気付かれることなく、つまり、恥ずかしいと感じることもなく、何時でも何処でも、こっそりと、ミラーを用いて化粧崩れ等の視覚的チェックを行えることを実現することにある。
【００１１】
更に、本考案の副次的目的としては、人目を気にすることなく、こっそりと、化粧崩れ等の手直しをも可能とすることにある。
【００１２】
更なる本考案の副次的目的として、その様なミラー等を携帯していること自体が人目には気付かれない様にすることにある。
【課題を解決するための手段】
【００１３】
本考案の主題に係るペン型スティックミラーは、その長手方向に沿ってその一端側部から他端側部に向けて延在し且つミラー表面の全体が自己の側から見える様に埋設されたミラーを有する、スティック型の本体部と、前記本体部の他端側部の内で前記ミラー表面が配設されていない部分を中心にして全体が回動可能に前記本体部に支持されて配設されており、非回動時には前記ミラー表面全体を含む前記本体部の表面全体を被覆する様に前記本体部に支持・配設された蓋部と、前記蓋部の表面の他端側部から当該表面の中央側部に向けて前記蓋部の長手方向に沿って前記蓋部の前記表面の前記他端側部上に配設されたクリップと、を備えたことを特徴とする。
【００１４】
本考案の副題に係るペン型スティックミラーは、請求項１に記載のペン型スティックミラーであって、前記本体部は、底部と、前記ミラーを有する中央部と、備えており、前記底部は、その長手方向に沿って、その一端側部から他端側部に向けて延在した非貫通の小物入れ用の溝部を有しており、前記中央部及び前記蓋部の各々は、前記底部の前記他端側部の内で前記溝部が配設されていない部分を中心にして全体が個々に回動可能に前記底部に支持されて配設されており、非回動時には前記溝部を含む前記底部の表面全体及び前記ミラー表面全体を含む前記中央部の表面全体を被覆する様に前記底部に支持・配設されていることを特徴とする。
【考案の効果】
【００１５】
本考案の主題に係るペン型スティックミラー（以下「本装置」ともいう。）によれば、クリップ付きの蓋部の非回動時には本装置は正にスティック状のペン用品であるとしか外部からは認識されない。そのため、蓋部を回動してミラー表面全体を自分の側に見える様にした上で、当該ミラー表面全体に顔を映し出して目の周りの化粧（アイメイク、付けまつ毛等）の崩れ（所謂「パンダ目」）の有無をチェックしても、周囲の人からは、ミラー自体を見ていること、及び、当該ミラーに顔を映して目の周りの化粧の状況をチェックしているとは認識され難い。従って、本装置の使用により、周囲の人に気付かれずに、何時でも、何処でも、こっそりと、素早く、ミラーを介して目の周辺の化粧の崩れの有無をチェックすることが出来る。例えば、勤務時間中の来客前又は食事の後に、事務机に座ったままでも、周囲に気付かれずに、パンダ目等の化粧崩れの有無を、こっそりチェックすることが出来る。その様な仕草ないしは行動は、状況に応じては、人に知られると恥ずかしい場合もあるし、或いは、それ自体が出来にくい場合もあるので、周囲の人に気づかれたくないものである。
【００１６】
加えて、本装置によれば、上記構造に伴う作用により、顔の小鼻のテカリ、鼻毛、歯の汚れ、又は装着中のコンタクトレンズのズレの有無等のチェックを、何時でも、何処でも、素早く、周囲の人に気付かれる事無く、こっそりと行うことが出来る。
【００１７】
しかも、本考案の主題に係る本装置によれば、他端側にペンのクリップが付いているので、本装置を衣服の胸側のポケットに差し込んでおけば、本装置を自在に携帯でき、必要に応じて、直ぐに本装置を胸ポケットから外して使用することが出来る。終われば、再度、本装置を胸ポケットに差し込めば良いだけであり、その作業は容易である。更に、本装置は非回転時にはスティック型ペン形状を成しているので、本装置を携帯可能な化粧ポーチ、筆入れ或いはペン立てにスッキリ入れることも可能であり、化粧崩れ等をチェックするための鏡がその中に入っているとは周囲の人に気付かれることはない。
【００１８】
又、本考案の副題に係るペン型スティックミラー（以下「本装置」という。）によれば、ミラーを有する本体部の中央部を回動させることで、底部の小物入れ用途の溝をその人側に見える様にすることが出来るので。この溝内に、目の周辺の化粧の崩れを直すための小道具又は無くし易い小物を収納して携帯することも可能となる。
【００１９】
以下、本考案の様々な具体化を、添付図面を基に、その効果・利点と共に、詳述する。
【図面の簡単な説明】
【００２０】
【図１】本考案の実施の形態１に係るペン型スティックミラーの構成を模式的に示す斜視図である。
【図２】本考案の実施の形態１に係るペン型スティックミラーの平面、正面及び右側面の各構成を示す図である。
【図３】本考案の実施の形態１に係るペン型スティックミラーの蓋部及び中央部の各々を反時計方向へ回転させて支持した状態でのペン型スティックミラーの構成を模式的に示す斜視図である。
【考案を実施するための形態】
【００２１】
（実施の形態１）
＜ペン型スティックミラー１０の構成＞
【００２２】
図１は、本実施の形態に係るペン型スティックミラー１０の非回動時の全体構成を模式的に示す斜視図である。又、図２もペン型スティックミラー１０の非回動時の全体構成を模式的に示す図であって、図２（ａ）はペン型スティックミラー１０の上方から見た場合の平面図、図２（ｂ）はペン型スティックミラー１０の正面図、図２（ｃ）は図１のペン型スティックミラー１０の右側面図である。
【００２３】
図１のペン型スティックミラー１０の長手方向ＬＤに沿った長さは、例えば１２ｃｍであり、この長さはマスカラ又はアイライナーの同程度の寸法であり。又、ペン型スティックミラー１０の短手方向の幅寸法は、例えば２ｃｍである。そのため、ペン型スティックミラー１０の全体は、外部からの観察では、スリムなスティック形状のペンであると誤認される形態を成している。
【００２４】
先ず、中核部たるスティック型の本体部１は、その長手方向ＬＤに沿って、その一端１ＥＡから他端１ＥＢに向けて延在しており、後述する様に、回動時にミラー表面の全体が自己から見える様に当該本体部１内に埋設されたミラー６（図３）を有する。
【００２５】
より詳細には、本体部１は、底部２と、中央部３とより成る。そして、中央部３は、その裏面３ＲＳが底部２の表面２Ｓ全体に接触して当該表面２Ｓを全体的に被覆する様に、底部２の他端側部２ＢＥＡ（後述する。）に支持されて配設されている。底部２の構造に関して特筆すべき点は、底部２の全体的に平坦な表面２Ｓに対向する裏面２ＢＳは、その本来的な凸部分が長手方向ＬＤに沿って一様に削られて、平坦な面を成していることである。そのため、長手方向ＬＤに垂直な底部２の縦断面の形状は略かまぼこ形状となる。この長手方向ＬＤに沿った底部２の平坦な裏面２ＢＳの存在により、ペン型スティックミラー１０を事務机の面上等に於いても、当該ミラー１０が傾く或いは転がることはなく、当該ミラー１０は安定して平面上に載置される。
【００２６】
更に、蓋部４は、後述するミラー表面全体を含む中央部３の表面３Ｓ全体を被覆する様に、本体部１ないしは底部２の他端側部２ＢＥＡ（後述する。）に支持・配設されている。
【００２７】
一例として、本実施の形態では、底部２、中央部３及び蓋部３は、ＡＳ樹脂等のプラスチックより成る。
【００２８】
又、ペン又は万年筆と同等のクリップ５が、蓋部４の表面４Ｓの他端側部４ＥＢから当該表面４Ｓの中央側部に向けて、長手方向ＬＤに沿って、蓋部４の表面４Ｓの他端側部４ＥＢ上に配設されている。このクリップ５も、一例として、プラスチックより成る。図２（ｂ）及び図２（ｃ）に例示されている様に、クリップ５の先端部の裏側突出部５Ａは、蓋部４の表面４Ｓの略中央部に配設された突出部４Ａに、係止されている。従って、このクリップ５の係止状態を利用することで、利用者は、本ペン型スティックミラー１０を、衣服の胸等のポケットに装着することができ、本ミラー１０の持ち運びないしは携帯が自在となる。
【００２９】
図３は、蓋部４を本体部１乃至は底部２に対して左右方向へ回転ＲＡ（３６０°回転可能とされている。回動可能。）した場合、及び、中央部３を底部２に対して左右方向へ回転ＲＢ（３６０°回転可能とされている。回動可能。）した場合の状態を模式的に示す斜視図である。図３は、ペン型スティックミラー１０の特徴部分を端的に示す図である。
【００３０】
図３に於いて、中央部３は、その表面３Ｓ側に、突出することなく埋設されたミラー（鏡）６を有している。そして、細長のミラー６は、長手方向ＬＤに沿って、その一端側部３ＥＡから他端側部３ＥＢに向けて延在しており、そのミラー６の表面の全体が、使用者側ないしは外部から見える様に、表面３Ｓ内に埋設されている。但し、蓋部４が本体部１の他端１ＥＢ側部部分を中心として回動されていない場合（蓋部４が閉じている場合。）には、ミラー６の表面全体は蓋部４によって被覆されて外部には見えない状態にある。
【００３１】
クリップ４が配設された蓋部４の他端側部４ＥＢは、本体部１の他端１ＥＢ側部の内でミラー６の表面が配設されていない部分を中心にして、乃至は、底部２の他端側部２ＥＢＡの内で後述する溝部７が配設されていない部分を中心にして、本体部１ないしは底部２に対して蓋部４の全体が中央部３とは別個に左右に自在に回動可能な状態にて、支持されて配設されている。従って、本体部１に対して蓋部４を左右に自在に回動させることで、それまでは蓋部４で被覆されて見えなかったミラー６の全表面が利用者に見える様になる。この場合、一例として、ミラー６の長手方向の寸法は１２ｃｍに設定されているので、当該駿府はマスカラ又はアイライナイーとほぼ同寸法であり、容易に目の周りの化粧崩れの有無をチェックすることが出来る。又、その程度の長さならば、本ミラー１０を化粧ポーチ又は衣服のポケット等に入れるには問題とはならない。
【００３２】
図３に於いて、底部２は、その長手方向ＬＤに沿って、その一端側部から他端側部２ＥＢＡに向けて延在した、全体的に非貫通状態の小物入れ用の溝部７を有している。尚、ミラー６の場合と同様に、中央部３が底部２の他端側部分２ＥＢＡを中心として回動されていない場合（中央部３が閉じている場合。）には、溝部７の全体は中央部３の裏面３ＲＳによって被覆されていて、利用者及び外部には見えない状態にある。この小物入れ用の溝部７は、目の周辺の化粧崩れ（「パンダ目」の場合）を直す必須の道具（例えば綿棒。）或いはクリップ、ヘアピン等の無くし易い道具を収納しておく場所である。
【００３３】
又、ミラー６が配設されていない中央部３の他端側部分３ＥＢは、底部２の他端側部の内で溝部７が配設されていない部分２ＥＢＡを中心にして、中央部３の全体が蓋部４の回動とは別個に回動可能に、底部２に支持されて配設されている。従って、底部２に対して中央部３を左右に自在に回動させることで、それまでは中央部３で被覆されて見えなかった非貫通の溝部７の全体が利用者に見える様になる。この状態で、綿棒等の小物類を必要に応じて溝部７より取り出して、又は、溝部７内に小物類を収納することとしてもよい。
【００３４】
底部２の他端側部２ＥＢＡには、図示されていないが、例えばステンレス鋼のネジがナイロン製のワッシャー及びシリコーン製のＯリングを介して、他端側部２ＥＢＡの面に螺合されており、外部に突出したネジの部分に、中央部３の該当部分及び蓋部４の該当部分が順次に嵌め込まれて回動可能状態が実現されている。
【００３５】
＜ペン型スティックミラー１０の使用方法・利点＞
【００３６】
先ずは、図１及び図２に表示される非回動時に於ける構成を有するペン型スティックミラー１０を、ポケット等から取り出す。この場合、ペン用のクリップ５が配設されているので、使用者は、服の胸ポケット等のポケットに当該スティックミラー１０を差し込んだ状態にて、ペン型スティックミラー１０を携帯することが出来る。このとき、使用者は、それがミラーを有する装置であることを周囲の人に気付かれずに、ペン型スティックミラー１０を携帯することが出来る。或いは、ペン型スティックミラー１０は、基本的に、幅寸法が例えば２ｃｍ程度であるスリムなペン構造を有するので、使用者は、当該スティックミラー１０を、ミラーを携帯又は入れていることを他人に気付かれることなく、化粧ポーチの中に又は筆箱・ペン立て等の中に収納・携帯し又は収納しておくこともできる。
【００３７】
その際、ペン型スティックミラー１０は、かまぼこ型の縦断面構造を有し、底部２の底面２ＢＳは平面であるので、ペン型スティックミラー１０を物の平面上に載置しても、ペン型スティックミラー１０は転がりにくく、安定して載置される。従って、空中内で、手でペン型スティックミラー１０を把持して後述の化粧崩れ等のチェックをしないで、机面等の略平坦な面上にペン型スティックミラー１０を載置した状態に於いても、使用者は化粧崩れ等のチェックを素早く且つこっそりと行うことが出来る。
【００３８】
その上で、使用者は、蓋部４を左右一方向ＲＡに回転乃至は回動して、ミラー６の表面全体を自己側から見える様に、蓋部４を開ける。本例では、中央部３の長手方向ＬＤに沿った長さは１２ｃｍ程度であって、その寸法はマスカラ又はアイライナーの寸法と同程度な長さ寸法であるので、ミラー６の表面全体に、顔の両目が映し出される。従って、アイメイクの崩れ又は着け睫毛のくっつき状態等をチェックするには、ミラー６の長さ寸法及び幅寸法は共に最適の寸法に設定されている。この場合、蓋部４がその下の長手方向ＬＤに長いミラー６の表面全体が自己側に露出する程度に回動されて開かれているにすぎないので、人目には、化粧崩れ等のチェック・修正の動作を行っているとは気付かれにくい。従って、周囲の人に知られること無く、こっそりと、さりげなく、速やかに、パンダ目等の発生等の有無をチェックし、化粧崩れの修正を行うことが出来る。この様に、ペン型スティックミラー１０の上記の特徴的構成とその動作・作用に基づいて、使用者は、ペン型スティックミラー１０をその収納場所から素早く取り出した上で、素早くパンダ目等の化粧崩れ或いはコンタクトレンズのずれ等のチェックを行うことが出来るのである。そのため、人前でパンダ目等の有無のチェックをするのは恥ずかしくて抵抗があるといった感情の発生は、格段に軽減・喪失される。
【００３９】
更に、使用者は、中央部３を左右一方向ＲＢに回動させて、底部２の溝部７の全体を自己側に露出する様にする。その場合には、使用者は、溝部７内に収納されている綿棒等の化粧直し用道具等を素早く取り出して、その場で、人目に気付かれにくい状態にて、恥ずかしいという気持ちも生じにくい状態にて、何気なく、素早く、化粧崩れ等の手直し作業を行うことが出来る。逆に、溝部７に、人目に知られることなく、収納しておきたい小物道具を素早く収納することも可能となる。
【００４０】
当該作業が終わってペン型スティックミラー１０の各部２，３，４を閉じるときも、素早く且つさりげなく、当該作業は実行され得る。
【００４１】
その後は、見た目には単なるペンである、図１に例示されるペン型スティックミラー１０が、再現される。
【００４２】
＜変形例＞
実施の形態１に於いて記載した小物入れ用の溝部（図３の溝部７）を設けずに、ミラー６のみが本体部１内に埋設された構造のペン型スティックミラーを採用しても良い。この場合には、図３の蓋部４は、図３の中央部３に該当する本体部の他端側部の内でミラー６が配設されていない部分を中心にして、全体が回動可能に、当該本体部に支持されて配設される。そして、蓋部４は、非回動時には、ミラー６の表面全体を含む当該本体部の表面全体を被覆する様に、当該本体部に支持されて配設される。この変形例に係るペン型スティックミラーに於いても、実施の形態１に係る装置１０に於けるミラー６に関する既述した作用・効果は、同様に得られる。
【００４３】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００４４】
本考案は、例えば、何時でも、何処でも、周囲の人に気付かれる事無く、こっそりと、「パンダ目」等の顔の状況をミラーに映し出してチェック可能な、ペン型のスティック型ミラーに適用して好適である。
【符号の説明】
【００４５】
１  本体部
２  底部
３  中央部
４  蓋部
５  クリップ
６  ミラー
７  溝部
【図１】
0003190811.tif 000003
【図２】
0003190811.tif 000004
【図３】
0003190811.tif 000005